(57)【要約】【課題】良好な防音効果を有しつつ構造体からの厚さが薄く、電気やＯＡ配線等も自由にでき、施工も容易なムク板フローリング床構造とその施工法を提供する。【解決手段】構造面に張設された遮音シート２と、その遮音シート上に設けられた下地組３と、下地組３上に張設された下地板４と、この下地板上に張設された遮音シート５と、遮音シートの上に張設された木製フローリング６とを備え、前記下地組３が、遮音シート上に所定間隔で配された防音性の緩衝部材７と、それら緩衝部材７の上で列をなす根太８と、根太列間に充填されたマット状の防音材９を備えている。【選択図】図１
2004332340.tif 000002
【特許請求の範囲】
【請求項１】
構造面に張設された遮音シートと、その遮音シート上に設けられた下地組と、下地組上に張設された下地板と、この下地板上に張設された遮音シートと、遮音シートの上に張設された木製フローリングとを備え、前記下地組が、遮音シート上に所定間隔で配された防音性の緩衝部材と、それら緩衝部材の上で列をなす根太と、根太列間に充填されたマット状の防音材を備えていることを特徴とするマンションの木製床構造。
【請求項２】
構造面に遮音シートを張設する工程と、その遮音シート上に防音性の緩衝部材を介して根太を載置するとともに防音性の押え部材により根太位置を固定し、かつ各根太列間に防音材を充填して下地組を得る工程と、下地組の面上に下地板を張設する工程と、この下地板上に遮音シートを張設する工程と、遮音シートの上に木製フローリングを張設する工程をとることを特徴とするマンションの木製床構造施工法。
【請求項３】
下地組を得る工程が、押え部材間の根太上面に防音性の帯材を位置させてレベル調整することを含む請求項２に記載のマンションの木製床構造施工法。
【請求項４】
別々の部材からなる緩衝部材と、根太と、押え部材が用いられ、緩衝部材を遮音シート上に配置し、それら緩衝部材の上に根太を載置し、押え部材を根太の上部から当て、根太の上面縁から根太側面に添うように曲げ、下部を屈曲して座部とし、その座部を構造体に固定する請求項２に記載のマンションの木製床構造施工法。
【請求項５】
緩衝部材と一体化した根太と、上面部とこれから屈曲した側面部および座部を形成した押え部材が用いられ、根太に一体化されている緩衝部材を遮音シート上に配置し、押え部材を根太にかぶせ、座部を構造体に固定する請求項２に記載のマンションの木製床構造施工法。
【請求項６】
根太と、上面部とこれから屈曲した側面部および座部を有しかつ緩衝部材を一体化した押え部材が用いられ、該押え部材に根太を挿通し、座部を構造体に固定する請求項２に記載のマンションの木製床構造施工法。
【発明の詳細な説明】
【０００１】
【発明の属する技術分野】
本発明はマンションの木製床構造およびその施工法に関する。
【０００２】
【従来の技術】
マンションの床を木製フローリングにすることの要望は多い。その時の最大の問題は下階への音の伝達である。この対策として、従来、次のような工法が採用されていた。
▲１▼じか貼り工法
木製フローリングの裏側にゴム等の防音・振動の衝撃防止材を貼った防音材と一体の木製フローリングを、接着剤でコンクリート等のマンションの構造体に貼っていく方法で、ジュウタン張り等と同様の工法である。
【０００３】
▲２▼システム工法その１
防音防振マットを敷き詰め、其の上にフローリングの固定マットを設置し、木製フローリングを貼っていく方法。
▲３▼システム工法その２
防音防振ゴムの足付の支柱をコンクリート等の構造体に立て、それら支柱の上に防音下地板を受支させ、これに木製フローリングを貼っていく方法。
【０００４】
▲１▼の工法は、工事が簡便であり、床が厚くならない利点があるが、防音効果はあまり期待できない点、電気等の配線スペースがとりにくい点に問題がある。
▲２▼の工法は、防音効果が期待できるものの、床が１００ｍｍ以上に厚くなる点、特殊な防音防振マットを用いるので、価格が高くなる点、床にフワフワ感が生じやすい点に問題がある。
▲３▼の工法は、防音効果が期待でき、既存床のレベルの不調整を容易に解消できるが、床が２００ｍｍ程度まで厚くなる点、価格が高くなる点、ムク板をフローリングに採用した場合に反り、曲りなどの木の特性を止められない点などに問題があった。
【０００５】
【発明が解決しようとする課題】
本発明は前記のような問題点を解消するためになされたもので、その目的とするところは、良好な防音効果を有しつつ構造体からの厚さが薄く、電気やＯＡ配線等も自由にでき、簡易、迅速な施工を行なえるマンションの木製フローリング構造とその施工法を提供することにある。
【０００６】
【課題を解決するための手段】
上記目的を達成するため本発明のマンションの木製床構造は、構造面に張設された遮音シートと、その遮音シート上に設けられた下地組と、下地組上に張設された下地板と、この下地板上に張設された遮音シートと、遮音シートの上に張設された木製フローリングとを備え、前記下地組が、遮音シート上に配された防音性の緩衝部材と、それら緩衝部材上にで列をなす根太と、根太列間に充填されたマット状の防音材とで構成されていることを特徴としている。
【０００７】
また、本発明の防音施工法は、構造面に遮音シートを張設する工程と、その遮音シート上に防音性の緩衝部材を介して根太を載置するとともに防音性の押え部材により根太位置を固定し、かつ各根太列間に防音材を充填して下地組を得る工程と、下地組の面上に下地板を張設する工程と、この下地板上に遮音シートを張設する工程と、遮音シートの上に木製フローリングを張設する工程を経ることを特徴としている。
【０００８】
前記防音性の押え部材と緩衝部材および根太の組み合わせは、次のような種々の態様を採用できる。
１）別々の部材からなる緩衝部材と、根太と、押え部材が用いられ、緩衝部材を遮音シート上に配置し、それら緩衝部材の上に根太を載置し、押さえ部材を根太の上部から当て根太側面に添うように曲げ、下部を屈曲して座部とし、その座部を構造体１に固定する。
２）緩衝部材と一体化した根太と、上面部とこれから屈曲した側面部および座部を形成した押え部材が用いられ、根太に一体化されている緩衝部材を遮音シート上に配置し、押え部材を根太にかぶせ、座部を構造体に固定する。
３）根太と、上面部とこれから屈曲した側面部および座部を有しかつ緩衝部材を一体化した押え部材が用いられ、該押え部材に根太を挿通し、座部を構造体に固定する。
【０００９】
本発明は新築のマンションの室内、廊下などに適用されるほか、既設マンションの室内、廊下などのリフォームの場合にも適用される。
【００１０】
【発明の実施の形態】
以下添付図面を参照して本発明の実施例を説明する。
図１ないし図３は本発明によるマンションの防音型木製床構造の一実施例を示している。
１はマンションの室内や廊下などの構造体であり、一般的にはコンクリートスラブからなっている。該構造体は施工に先立って測量され、表面にモルタルを塗工するなどしてレベル調整をされるのが一般的であるが、後述する緩衝部材そのものの厚さ設定によってレベル調整をしてもよい。
【００１１】
２は前記レベル調整された構造体表面１０１の全面に貼られた遮音シートである。
３は前記遮音シート２の上に設けられた下地組であり、遮音シート２に所定の間隔たとえば２５０〜５００ｍｍで配された遮音性のある弾性材たとえばゴムからなる緩衝部材７と、それら緩衝部材７，７に受支されて列をなす根太８と、各根太列間に密に充填されたマット状の防音材９を有している。根太８はＹ方向、Ｘ方向に延びるが、それら「Ｙ方向、Ｘ方向」には、床の形状により適当な傾斜を有する場合を含んでいる。
【００１２】
各列の根太８は、遮音性のある弾性材を主体とするバンド状の押え部材１０により位置が固定されている。また、押え部材１０の装着による部分的な厚さ増を解消するため、各押え部材１０、１０間に露出している根太上面には、遮音性のある弾性材からなるレベル調整帯片１１が配され、これにより、防音材９の上面と押え部材１０の上面とを面一にしている。
【００１３】
４は合板・人工木製パネルなどからなり、前記下地組３の上面に敷かれた下地板、５は前記下地板４に密接して貼られた遮音シート、６は前記遮音シート５上に貼られた所望の木製フローリングである。
【００１４】
本発明による防音型木製床は、表現を変えると、遮音シート層と、緩衝部材を介して支えられた根太列群と根太列間に充填された防音材からなる下地組層と、これの上に敷かれた下地板層と、下地板層を覆う遮音シート層およびこれの上に貼られた木製フローリング層の重層構造から構成されている。
【００１５】
図４〜１１は防音型木製床構造の施工法の一例を段階的に示しており、概略的には、遮音シート貼り工程と、下地組工程と、下地板貼り工程と、遮音シート貼り工程および木製フローリング貼り工程からなっている。この例では、木製フローリングを貼る方向をＸ方向とする。
通常の場合、木製フローリングを設置する部分の既存構造体の状況を作業内容に応じたレベルに調整する構造体レベル調整を行なう。既存の構造体１は一般的にはコンクリートのスラブであるが、施工精度やスラブのタワミによってレベルが異なるので、それをセメント系あるいは樹脂系のモルタル等でレベルを均等にし、必要とする平面や勾配面、段差面を確保する。しかし、施工面積が狭いような場合などにあっては、後述する下地組工程において、緩衝部材の厚さ調整でレベル調整を行なってもよい。
【００１６】
〔遮音シート貼工程〕
この工程は上層（下地組層＋下地板層＋遮音シート層）による防音効果によって軽減された残留音の下階への最終的な防音効果を得るために施されるもので、材料として、厚さがたとえば１．０〜１．２ｍｍの遮音シート２を使用し、図４のように、木製フローリング施工対象範囲の全て、および壁際の立ち上がり部分１ａ、１ａを袋状に包括するように敷き詰める。単位遮音シート２の平面の合せ部分は所定の重ね幅を確保し、粘着面を有する遮音テープ２００で貼り合せる。このときの方向は、根太のレベルを均一にするため根太列と交差する方向（この例ではＸ方向）が望ましい。
壁際の立ち上がり部分２’は壁の仕上げに支障の無い範囲まで十分な立ち上がり寸法を確保し、これも遮音テープで壁の下地に貼り付ける。
以上で、図４に示される状態になる。
【００１７】
〔下地組み工程〕
この工程は図５〜８に示されており、本発明において特徴的でかつ重要な工程であり、木製フローリングに直接与えられた生活発生音を確実に吸収して構造部１に振動を伝達しないようにし、かつ空気の振動による反響音を発生させないようにし、同時に、床という生活空間の大事な部分の安全で確実な設置を可能とする下地構造の確保を目的とする。
【００１８】
この工程で使用する用材は、緩衝部材７、根太８、押え部材１０、レベル調整帯片１１および防音材９である。
緩衝材７は、たとえば９０ｍｍ角、厚さ１〜４ｍｍといったゴム材を使用し、これをたとえば、図５（ｂ）のように、遮音シート２上に２５０〜５００ｍｍ間隔の升目状に配置する。
【００１９】
こうした配置の緩衝部材７、７の上に根太８を直線状に配置する。この例ではＸ方向に配列している。根太８は木製フローリングを安定的に固定しフローリングに加えられる荷重を支える梁ないし骨格部材であり、合板または人工木材を切断したものが使用される。寸法としては、たとえば幅９０ｍｍ、高さ２４ｍｍであり、根太８は下面が緩衝部材７に支えられる。緩衝部材７は振動や音を根太８から構造体１に直接伝達しないようにしながら根太８を支える。
なお、緩衝部材７はいくつかの厚さのものを用意しておき、あるいは標準的な厚さのものを積み重ねることで遮音シート２上の高さが変化するので、同時にレベル調整を行なうこともできる。すなわち、緩衝部材７はレベル調整材を兼ねるものである。
【００２０】
このように、構成した各根太列は、位置がずれないように押え部材１０によって固定される。押え部材１０はたとえばゴムなど防音性を有していることが好ましく、この例では、帯体１０ａと、これを構造体１に固定する取り付け部材１０ｂとが用いられる。取り付け部材１０ｂは接着剤でもよいが、この例では座金と一組になったコンクリート釘が使用されている。
【００２１】
帯体１０ａは、たとえば、幅９０ｍｍ、厚さ２ｍｍのロール状に巻かれたゴム帯を切断することで簡単に得られる。帯体１０ａの長さは、根太幅＋根太厚みの２倍＋遮音シートへ取り付け部分の２倍の長さとする。
この帯体１０ａを、一定長さごと、たとえば１つおきの緩衝部材７の位置において、図６（ａ）のように、根太８の上部から当てて押さえ、根太８の上面縁から根太側面に添うように曲げ、遮音シート２に接触する位置から屈曲して座部１００、１００とし、その座部１００、１００を取り付け部材１０ｂで構造体１に固定する。
【００２２】
これにより、各根太列は所定間隔ごとにしっかりと位置が固定される。しかも、根太を釘やボルトで躯体に直接固定すると振動が釘やボルトを介して躯体に伝わってしまうが、遮音性のある弾性材で座を形成し、これに当てた取り付け部材１０ｂで間接的取り付けを行うので、振動は帯体１０ａで遮断され、他部に伝達されない。
【００２３】
以上のようにして、各根太列を固定すると、根太８の上部は帯体の厚み分だけレベルが不ぞろいとなる。そこで、帯体１０ａ、１０ａ間の根太８の上面にレベル調整帯片１１を配置する。要すれば、軽く接着剤で根太８の上面に接着する。レベル調整帯片１１は、帯体１０ａと同じ用材を所定長さに切断するだけでよいので簡単である。
これにより、各根太列の根太８は、下面が遮音性の緩衝材７に接し、上面も遮音性の帯体１０ａとレベル調整帯片１１に接し、いわば遮音材でサンドイッチ状になるので、振動の伝達はきわめて低減される。また、上面全体が同じ厚さを持つ帯体１０ａとレベル調整帯片１１で覆われるので、凹凸のない均一な上面レベルとなる。
電線や電話線などのコードＣは、図６（ｃ）のように根太８、８を切断して隙間を設けることで自在に配線することができる。
【００２４】
以上の作業で図７の状態になるので、ついで、防音材９を充填する。根太列をの上に直接下地板４を貼って木製フローリング６を貼った場合には、下地板４の下にある根太列間の空洞が太鼓の胴体部分と同じように上部の音を下階に拡大する現象を起すことになるので、その防止を図り、同時に床の断熱性能の向上を図るに、防音材９を充填するのである。
【００２５】
防音材９は公知のどのようなものでもよく、たとえば、ロックウールマット、グラスウールマットなど約２０〜３０ｍｍ厚さのものが使用され、図８のように、根太列と根太列の間に充填する。固定や接着は必要としないが、防音材９の下面が遮音シート２に接触するように、また、上面が帯体１０ａとレベル調整帯片１１のレベルと合致するように、隙間なく充填する。図９はこの防音材充填工程が完了した状態を示している。
【００２６】
〔下地板貼り工程〕
この工程は、下地組３を上から押さえ、かつ木製フローリングの安定と確実な固定を得るために行なわれる。
用材としては、たとえば９００×１８００×１２ｍｍの合板や人工木製パネルが用いられ、かかる下地板４を下地組３と密着させて敷き詰め、根太８にスクリュウ釘や木ねじなどの固定金具で固定する。固定金具は構造体１に達してはならず、緩衝部材７＋根太８＋帯体１０ａ＋下地板４の合計を超えない長さのものを使用する。図１０はこの工程の完了状態を示している。
【００２７】
〔遮音シート貼工程〕
この工程は、下の防音構造をより有効に機能させるために、木製フローリング６に直接与えられた生活発生音をその発生源直近で遮音するために行なわれる。
遮音シート５は先の遮音シート貼工程で使用した遮音シート２と同じ物を使用するか、要求される遮音性能によってはそれより精度の低いものでもよい。
貼り方は施工領域に完全に敷き詰め、重ね合わせをせず、重ね合わせの上から鋭利な刃物でカットし余分を除去し、切り口の突合せ、厚みの無い布製テープでつなぎ貼とすることが好ましい。壁と接続する立ち上がり部分は壁の仕上げに支障ない分、充分立ち上げ、巾木等で固定すればよい。図１１はこの工程を終えた状態を示している。遮音シート５が下地板４と木製フローリング６が直接接触するのを防止する介在層となるので、下地板４の下に遮音シートを設置するよりも防音効果が高い。
【００２８】
〔木製フローリング貼工程〕
この工程は、最終工程であり、使用する木製フローリング６は限定がなく、桧、杉など材質の如何を問わないが、充分な乾燥材であることが好ましく、完全なムク板あるいは３層のあわせ板などが一般的に用いられる。寸法は任意であり、たとえば１２〜３０ｍｍのものが使用され、根太列と直交するように配列される。
以上の工程により、図１ないし図３の防音性木製床が完成する。
【００２９】
上記の防音性木製床構造と施工法はあくまでも一例であり、これに限定されるものではない。
１）緩衝部材７は必ずしも小片状でなく、帯状のものを使用し、根太８の下面全体を支えるようにしてもよい。この場合には、遮音シート２の表面との間に隙間が生じない。
【００３０】
２）緩衝部材７は、上記実施例では分離した別部材としているが、図１２（ａ）のように、あらかじめ根太８の下面に所定間隔ごとに接合されたユニットないしアッセンブリーであってもよい。この場合には、緩衝部材７の配材作業を省略でき、遮音シート２上に根太８を配列すれば直ちに緩衝部材７で支えられた根太列が得られる。
【００３１】
３）押え部材は帯体であることに限定されない。すなわち図１２（ｂ）の押え部材１０’のように、根太８の上面を押える上面部１０２と、根太８の側面を押える側面部１０３，１０３と、遮音シート２上に据える座部１００，１００を有する成形体であってもよい。
この態様の場合には、根太８を配列した状態で、所定間隔ごとに押え部材１０’を根太８に被せることで、根太８の上面、側面が位置決めされ、座部１００が遮音シート２に接触するので、座部１００を取付け部材（金具または接着剤）で固定するだけの簡単な作業で施工できる。
【００３２】
４）押え部材は緩衝部材と一体化していてもよい。図１３はこの例を示しており、押え部材１０”は、根太８の上面を押える上面部１０２と、根太８の側面を押える側面部１０３，１０３と、遮音シート２上に据える座部１００，１００に加え、緩衝部材としての下面部分７０を一体に成形しており、上面部１０２と側面部１０３，１０３および下面部分７０とで根太８の断面形状に即した窓孔１０４が画成されている。
図１３（ａ）は、上面部１０２と側面部１０３，１０３および下面部分７０を等しい厚さにしたもの、（ｂ）は下面部分７０の厚さを大きくしたもの、（ｃ）は下面部分７０と座部１００の厚さを大きくしたものを示している。
【００３３】
この態様の場合には、根太８を窓孔１０４に挿通し座部１００を固定するだけで根太８が緩衝材としての下面部分７０と押え部材としての上面部１０２でサンドイッチ状になり、根太列が形成されるので、きわめて作業性がよく、能率化を達成できる。
手法としては、先に押え部材１０”を遮音シート２上に配しておき、その状態で根太８を窓孔１０４に挿通してもよいし、先に根太８を複数の押え部材１０”の窓孔１０４に順次挿通してアセンブリーとし、それを遮音シート２上に配して固定してもよい。
【００３４】
【実施例の作用】
本発明の木製床は、根太８を使用して下地板４を安定的に支持させ、その上から木製フローリング６を貼るので、国産材、地場産材の木材を、インテリアのデザインや趣味嗜好によって自由に選定使用し、在来工法の手法で施工することができる。したがって国産材や地場産材の使用がマンション内装のすべてに可能となり、その利用量が拡大し、林業の活性化につながる。また、ムクの木材等の自然素材により、マンションの健康住宅仕様が可能となる。
木製フローリング６は、その下面全体が下地板４で支持され、下地板４は所要間隔ごとに根太８で支持されるとともに、根太列間に同レベルで充填されたマット状の防音材９にも接しているので、フカフカ感が生じない。
本発明は、根太８を含む下地組３を設けるので、かかる下地組３の骨格構造を利用して、間仕切り壁の下地を兼用でき、部屋や仕切りの配置自由度を高くすることができる。また、防音材９が断熱性を有するので、床の断熱性能も高くすることができる。
また、接着剤類を全く使用せず、あるいは使用しても僅かであるので、有害成分による人体への悪影響が生じない。
【００３５】
防音に関しては、木製フローリング６に与えられた音や振動は、直下の遮音シート５で下地板４に対する伝達が弱められ、さらに、下地板４は下地組３の押え部材１０の防音性の帯体１０ａまたは上面部１０２とレベル調整帯片１１を介して根太８で支えられているので、下地板４の音や振動が根太８に伝達されず、各根太列間には防音材９が密に充填されているので吸収され、水平方向にも伝達されず、反響音も発生させない。さらに、根太８は直接でなく、緩衝部材７または下面部分７０によって構造部側に間接的に支えられているので、下方にも伝達されず、残留音も緩衝部材７，７または下面部分７０と構造物表面間に貼られている遮音シート２で最終的に遮断される。
したがって、木製フローリングの表面から構造体までの仕上がり厚さが５０〜６０ｍｍ程度という薄い厚さでありながら、すぐれた防音性を実現できる。
【００３６】
具体例と性能実験を行なった結果を次に示す。
（１）実験装置：
２４厚さの合板からなる内側寸法９００ｍｍの立方体状筒の外側に２０ｍｍの発泡スチロールを張って防音した上下開放箱を作成した。この箱の上部から６００ｍｍ下方の位置に９００×９００×２０ｍｍの板を設置し、その上部にコンクリートを厚さ１００ｍｍ打設し、模擬的マンションの既設構造面とした。そして、
コンクリートの上方を仮想的居住空間、下方を階下の仮想的居住空間とした。
（２）測定方法：
模擬的マンションの既設構造面上に下記５種の木製防音床を設置し、同一の高さからゴルフボール（高温の衝撃音）、ソフトボール（低音の衝撃音）を落下させ、コンクリート上面から５００ｍｍ下方に設置した騒音計（小野測器製ＬＡ１２４０）で音量を測定した。
【００３７】
（３）木製防音床の種別
比較例１：コンクリート素地のまま
比較例２：置き床工法（前記システム工法その２）、合計厚さ９５ｍｍ。
比較例３：防音シート（１ｍｍ）＋防音防振ゴムの足つき支柱（１００ｍｍ）＋防音材（１００ｍｍ）＋下地板（１２ｍｍ）＋合板フローリング（１５ｍｍ）、合計厚さ１２８ｍｍ。
【００３８】
比較例４：遮音シート（１ｍｍ）＋下地組（３０ｍｍ）＋防音シート（１ｍｍ）＋下地板（１２ｍｍ）＋ムク板フローリング（１５ｍｍ）、合計厚さ５９ｍｍ。
下地組は後記の本発明と同じである。
本発明：遮音シート（１ｍｍ）＋下地組（３０ｍｍ）＋下地板（１２ｍｍ）＋防音シート（１ｍｍ）＋＋ムク板フローリング（１５ｍｍ）、合計厚さ５９ｍｍ。
下地組は第１実施例の態様を採用した。すなわち、ゴム製緩衝部材＋根太＋ゴム帯製の押え部材・ゴム製帯片で根太列を構成し、根太列間にロックウールマットを充填した。
【００３９】
音量測定は３回ずつ行い、平均値を求めた。落下物がゴルフボールの場合の値をＡ値（ｄＢ）とし、ソフトボールの場合の値をＢ値（ｄＢ）とする。
比較例１はＡ値：８３．０８、Ｂ値：８１．４９であった。
比較例２はＡ値：７３．１２、Ｂ値：７５．０８であった。
比較例３はＡ値：７４．７９、Ｂ値：７６．８４であった。
比較例３はＡ値：７６．３９、Ｂ値：７５．２４であった。
比較例３はＡ値：７１．８６、Ｂ値：７４．２３であった。
【００４０】
この結果から明らかなように、本発明の木製床は、厚さが薄いにもかかわらず、非常にすぐれた防音性能が得られていることがわかる。
【００４１】
【発明の効果】
以上説明した本発明の請求項１によるときには、構造体から５０〜６０ｍｍ程度の薄い厚さで木製フローリングの仕上がり面を確保でき、しかも、防音下地が、遮音シート２と、遮音シート上に配された防音材料製の緩衝部材７、７０と、これらの上に列をなすように載置固定された根太８と、根太列間に充填された防音材９とからなる下地組３と、下地板４と木製フローリング６間に介在張設された遮音シート５で構成されているので、安定した木製床構造でかつ薄い厚さでありながら良好な防音性能が得られ、断熱性能も良好であり、下地組は間仕切壁の下地として兼用できるとともに、電気やＯＡ配線等も自由に行なえるなどのすぐれた効果が得られる。
【００４２】
請求項２によれば、安価な部材で足り、マンションの高層部分へも既存エレベーター等の手段で搬入して施工でき、また特殊な技能も要さず、工務店・大工の既存技術で足り、防音効果の高い木製床を短期間で施工することができるというすぐれた効果が得られる。
請求項３によれば、レベルに段差がなくまた防音もすぐれた安定した下地を形成できるというすぐれた効果が得られる。
請求項４によれば、用材として高価で特殊なものを要しないので、コストを安価にでき、請求項５によれば、下地組工程を簡単、能率的に行なえ、請求項６によれば、部材数を少なくできるとともに下地組工程を簡単、能率的に行なえるというすぐれた効果が得られる。
【図面の簡単な説明】
【図１】本発明によるマンションの木製床構造の一例を示す部分切欠平面図である。
【図２】図１のＩＩ−ＩＩ線に沿う拡大断面図である。
【図３】図１のＩＩＩ−ＩＩＩ線に沿う拡大断面図である。
【図４】（ａ）は本発明における遮音シート貼り工程の完了状態を示す平面図、（ｂ）は断面図である。
【図５】（ａ）は下地組工程に使用する緩衝材の斜視図、（ｂ）は緩衝材の配材状態を示す平面図である。
【図６】（ａ）下地組工程の根太と押え部材関係を示す部分的斜視図、（ｂ）は根太の配材状態を示す平面図、（ｃ）は配材途中の斜視図である。
【図７】（ａ）は下地組の縦断正面図、（ｂ）は（ａ）のＸ−Ｘ線に沿う断面図である。
【図８】下地組工程の防音材充填段階を示す部分的斜視図である。
【図９】（ａ）は下地組の完成状態の平面図、（ｂ）は（ａ）のＩＸ−ＩＸ線に沿う断面図である。
【図１０】下地板貼りが終わった状態の部分切欠平面図である。
【図１１】遮音シート貼り工程が終わった状態を示す平面図である。
【図１２】（ａ）（ｂ）は本発明における根太と緩衝部材と押え部材の他の態様を示す断面図である。
【図１３】（ａ）（ｂ）（ｃ）は本発明における緩衝部材と押え部材の他の態様を示す断面図である。
【図１４】図１３の使用状態を示す斜視図である。
【符号の説明】
１  構造体
２  遮音シート
３  下地組
４  下地板
５  遮音シート
６  木製フローリング
７  緩衝部材
８  根太
９  防音材
１０、１０’、１０”  押え部材
【図１】
2004332340.tif 000003
【図２】
2004332340.tif 000004
【図３】
2004332340.tif 000005
【図４】
2004332340.tif 000006
【図５】
2004332340.tif 000007
【図６】
2004332340.tif 000008
【図７】
2004332340.tif 000009
【図８】
2004332340.tif 000010
【図９】
2004332340.tif 000011
【図１０】
2004332340.tif 000012
【図１１】
2004332340.tif 000013
【図１２】
2004332340.tif 000014
【図１３】
2004332340.tif 000015
【図１４】
2004332340.tif 000016